(57)【要約】      （修正有）【課題】天災・戦争等有事に対して備えるために人力手動で行えて、ＩＴ電子機器の付加装置は極力廃して、簡単・容易に、各家庭で発生する生ごみ・バイオマスから乾燥堆肥を製造できる、家庭用生ごみ・バイオマス乾燥堆肥製造機を提供する。【解決手段】家庭用生ごみ・バイオマス堆肥を製造する堆肥製造機であって、生ゴミ・バイオマスを粉砕するディスポーザーと、該ディスポーザーにより粉砕された粉砕小片と腐葉土との混合物の発酵を行う、手動攪拌器付きステンレス網状・穴開き容器と、コック栓付き外容器とからなる、二重構造の手動式攪拌器付き堆肥製造器とを有する。【選択図】図１
0003165997.tif 000002
【実用新案登録請求の範囲】
【請求項１】
家庭用生ごみ・バイオマス堆肥を製造する堆肥製造機であって、
生ごみ・バイオマスを粉砕するディスポーザーと、
該ディスポーザーにより粉砕された粉砕小片と腐葉土との混合物の醗酵を行う、手動攪拌器付きステンレス網状・穴開き容器と、コック栓付き外容器とからなる、二重構造の手動式攪拌器付き堆肥製造器とを有する
家庭用生ごみ・バイオマス堆肥製造機。
【請求項２】
前記外容器が耐熱性を有するものである請求項１に記載の家庭用生ごみ・バイオマス堆肥製造機。
【請求項３】
前記堆肥製造器内で、水分含有量６０重量％〜７０重量％、醗酵温度４０℃〜８０℃で、前記粉砕小片と腐葉土との混合物の醗酵を行うものである請求項１又は２に記載の家庭用生ごみ・バイオマス堆肥製造機。
【請求項４】
前記堆肥製造器内で、前記粉砕小片と腐葉土との混合物の醗酵を行うに際し、生ごみ・バイオマスを投入する都度、投入される生ごみ・バイオマスの１．０〜１．５重量％の消石灰を前記混合物に添加する請求項１〜３のいずれかに記載の家庭用生ごみ・バイオマス堆肥製造機。
【請求項５】
前記堆肥製造器内で、前記粉砕小片と腐葉土との混合物の醗酵を行った後、前記穴開き容器を前記堆肥製造器から取り出して、風通しよくして熟成させながら、水分含有量を１０〜２０重量％まで調整乾燥させるものである請求項１〜４のいずれかに記載の家庭用生ごみ・バイオマス堆肥製造機。
【請求項６】
前記混合物に、低温時には砂糖を添加し、高温時には塩を添加することにより、醗酵温度を４０℃〜８０℃に調整するものである請求項１〜５のいずれかに記載の家庭用生ごみ・バイオマス堆肥製造機。
【請求項７】
前記混合物に、悪臭発生時対策として木酢液を堆肥容積の２％分入れて攪拌し醗酵させるものである請求項１〜６のいずれかに記載の家庭用生ごみ・バイオマス堆肥製造機。
【考案の詳細な説明】
【技術分野】
【０００１】
本考案は、主として生ごみ発生の家庭単位ごとに、乾燥堆肥を作って、負の困り物を生産性の高い果実に切り替えることができる、家庭用生ごみ・バイオマス乾燥堆肥製造機に関する。
【背景技術】
【０００２】
従来、種々の堆肥製造機が知られているが、いずれも内容的に難しく、大掛かりで、ＩＴ化され、個々別々のシステムになっていて、多面的な生産果実を生ませるには、複雑過ぎて、多額の維持費を要するものであった。
【０００３】
生ごみの処理は、各市町村において苦慮している社会的大問題（経済・環境問題等）であるが、処理装置の全てが大型プラント化しているために、非経済的であり、むしろ環境破壊に繋がっている。従って、それに対処するべくセパレート化して、先ずは自分自身が率先して、本格的乾燥堆肥が作れることにより簡易実用的で多面的生産果実を生み出すことになれば、行政の負担軽減にもなり、同時に個人としても費用負担の軽減につながる。
【考案の概要】
【考案が解決しようとする課題】
【０００４】
本考案は、上記した実情に鑑みてなされたものであり、その目的とするところは、防衛（天災・戦争等有事に対して備える。）のためにでき得る限り全て人力手動で行えて、各セクションを経ずに、高額化するＩＴ電子機器の付加装置は極力廃して、スリムにして、販売・使用許可される既存道具・部品類を出来るだけ用いて、簡単・容易に、各家庭で発生する生ごみ・バイオマスから乾燥堆肥を製造できる、家庭用生ごみ・バイオマス乾燥堆肥製造機を提供することにある。
【課題を解決するための手段】
【０００５】
かくして本考案によれば、下記（Ａ）〜（Ｇ）の家庭用生ごみ・バイオマス堆肥製造機が提供される。
（Ａ）家庭用生ごみ・バイオマス堆肥を製造する堆肥製造機であって、
生ごみ・バイオマスを粉砕するディスポーザーと、
該ディスポーザーにより粉砕された粉砕小片と腐葉土との混合物の醗酵を行う、手動攪拌器付きステンレス網状・穴開き容器と、コック栓付き外容器とからなる、二重構造の手動式攪拌器付き堆肥製造器とを有する家庭用生ごみ・バイオマス堆肥製造機。
（Ｂ）前記外容器が耐熱性を有するものである（Ａ）に記載の家庭用生ごみ・バイオマス堆肥製造機。
（Ｃ）前記堆肥製造器内で、水分含有量６０〜７０重量％、醗酵温度４０℃〜８０℃で、前記粉砕小片と腐葉土との混合物の醗酵を行うものである（Ａ）又は（Ｂ）に記載の家庭用生ごみ・バイオマス堆肥製造機。
【０００６】
（Ｄ）前記堆肥製造器内で、前記粉砕小片と腐葉土との混合物の醗酵を行うに際し、生ごみ・バイオマスを投入する都度、投入される生ごみ・バイオマスの１．０〜１．５重量％の消石灰を前記混合物に添加する（Ａ）〜（Ｃ）のいずれかに記載の家庭用生ごみ・バイオマス堆肥製造機。
（Ｅ）前記堆肥製造器内で、前記粉砕小片と腐葉土との混合物の醗酵を行った後、前記穴開き容器を前記堆肥製造器から取り出して、風通しよくして熟成させながら、水分含有量を１０〜２０重量％まで調整乾燥させるものである（Ａ）〜（Ｄ）のいずれかに記載の家庭用生ごみ・バイオマス堆肥製造機。
（Ｆ）前記混合物に、低温時には砂糖を添加し、高温時には塩を添加することにより、醗酵温度を４０℃〜８０℃に調整するものである（Ａ）〜（Ｅ）のいずれかに記載の家庭用生ごみ・バイオマス堆肥製造機。
（Ｇ）前記混合物に、悪臭発生時対策として木酢液を堆肥容積の２％分入れて攪拌し醗酵させるものである（Ａ）〜（Ｆ）のいずれかに記載の家庭用生ごみ・バイオマス堆肥製造機。
【図面の簡単な説明】
【０００７】
【図１】本発明の家庭用生ごみ・バイオマス堆肥製造機の側面図である。
【図２】本発明の家庭用生ごみ・バイオマス堆肥製造機の側断面図である。
【図３】本発明の家庭用生ごみ・バイオマス堆肥製造機の上面図である。
【考案を実施するための形態】
【０００８】
本考案の家庭用生ごみ・バイオマス堆肥製造機は、家庭用生ごみ・バイオマス堆肥を製造する堆肥製造機であって、生ごみ・バイオマスを粉砕するディスポーザーと、該ディスポーザーにより粉砕された粉砕小片と腐葉土との混合物の醗酵を行う、手動攪拌器付きステンレス網状・穴開き容器と、コック栓付き外容器とからなる、二重構造の手動式攪拌器付き堆肥製造器（醗酵器）とを有する。
【０００９】
本考案の堆肥製造機は、総合的一体型で原理的内容が求められていて、その内容が難しくない簡易なもので総合多面的連関を可能とする考案実施の形態である。
以下、図面に従って一実施例を説明する。
図中、２０は、生ごみ・バイオマス粉砕投入口（家庭用ディスポーザー）、２１は、ディスポーザーの水道水取り入れ口、２２は、２１の引き込み用水道蛇口、２３は、２２の水道ホース簡易繋器、２４は、ディスポーザー排出口、２５は、２３の受け皿水きりシンク、２６は、醗酵器（二重構造の水抜きコック栓付き醗酵器）、２７は、醗酵用手動回転式攪拌器、２８は、２６の内容器で醗酵熟成・乾燥用の穴開き容器（手動攪拌器付きステンレス網状・穴開き容器）、２９は、関連作業台、３０は、穴開き状のステンレスの網である。
【００１０】
先ず、処理の対象となる生ごみ・バイオマスを、生ごみ・バイオマス粉砕投入口２０に投入し、ディスポーザー内で２０ｍｍ以下の大きさに粉砕する。
【００１１】
粉砕した生ごみ（粉砕生ごみ）を水道水とともに受け皿水きりシンク２５に送り、水分含有量６０重量％〜７０重量％程度（水を絞って手に水分を感じられる状態を目安に、現在の重量計測にて計算する。）となるように水切りを行う。
【００１２】
次いで、水切りした粉砕生ごみを、腐葉土とともに攪拌器付醗酵器（保温のために二重構造となっている）２６中に投入し、十分に醗酵させる。例えば、粉砕生ごみを、攪拌器付醗酵器２６中にて、醗酵の３条件（醗酵温度、水分、空気）を満たすべく、水分含有量６０重量％〜７０重量％程度、醗酵温度４０℃〜７０℃の醗酵温度にて、一日数回手動攪拌して空気を混合しながら、半月ほど十分に醗酵させる。
【００１３】
醗酵を開始させるには、粉砕生ごみを同重量程度の腐葉土と十分に攪拌し、消石灰を、投入される生ごみ・バイオマスの１．０〜１．５重量％の消石灰を前記混合物に添加することにより行う。
その後の温度調整は、砂糖（低温時温度上昇）と塩（高温時温度下降）を用いる。但し、得られた堆肥を肥料として使用したい場合には、塩を添加することは避けることが好ましい。
【００１４】
なお、一旦醗酵が開始すれば、その後は、粉砕生ごみを投入するだけで、腐葉土をほとんど投入する必要はない。あたかも漬物のぬか床のごとくである。
また、生ごみ・バイオマス堆肥を製造する場合、家庭毎にばらつきがあるので、これを平均化するために、落ち葉をディスポーズしたものや、大鋸屑と新聞・雑誌の紙粘土をさらに堆肥製造器に投入して堆肥を製造するようにしてもよい。
この場合、ダイオキシンや重金属に汚染された可能性大の大鋸屑、新聞紙、雑誌等のバイオマスはこれらと別途単独で耐熱の堆肥製造機に於いて、高反応・得号消石灰と称する消石灰等のメーカー仕様・指定量と混ぜた状態にて、先ずはダイオキシンを略取り除いた状態にしてから、前記００１２・００１３の状態・醗酵温度にて生ゴミを加えての堆肥醗酵を行う。また、コック栓付き外容器としては、３００℃〜５００℃の高温に耐えられる耐熱性を有するものを使用する。
【００１５】
その後、得られた醗酵物の入った、醗酵熟成・乾燥用の穴開き容器２８を、前記醗酵器２６から取り出す。さらに、３０日間程度風通しよくして、醗酵物を、熟成させながら、水分含有量を１０〜２０重量％（水に浸けて絞らない状態の重量を計測して置き、現在の乾燥状態での重量を計測して計算する。）まで乾燥させることにより、無定形の（一定の形をなさない）バイオマス堆肥を得ることができる。
【００１６】
なお、醗酵時の臭い対策は、攪拌した状況をめどに、天候や臭いの度合いに合わせて、木酢を堆肥容積の２％分水溶液１００ｃｃを入れて調整することにより行うことができる。
【００１７】
その後は、得られた無定形のバイオマス堆肥を、図示を省略するペレット製造機により、ペレット化することができる。
【符号の説明】
【００１８】
２０・・・生ごみ・バイオマス粉砕投入口（家庭用ディスポーザー）
２１・・・水道水差込口
２２・・・水道蛇口
２３・・・水道ホース簡易繋器
２４・・・ディスポーザー排出口
２５・・・粉砕バイオマス受け皿（取っ手付ザル）シンク
２６・・・堆肥製造器（攪拌器付２８内包の二重構造の水抜きコック栓付醗酵器）
２７・・・ハンドル付回転式攪拌器
２８・・・醗酵熟成・乾燥用の穴開き容器
２９・・・作業台
３０・・・穴開き状のステンレスの網
【図１】
0003165997.tif 000003
【図２】
0003165997.tif 000004
【図３】
0003165997.tif 000005